【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
１つまたは複数の携帯電話に関連付けられた１つまたは複数のフリーダイヤル番号に対して１つまたは複数の通信装置の１人または複数のユーザがかけた１つまたは複数のフリーダイヤル通話を、前記１つまたは複数の携帯電話に接続する１つまたは複数の制御コンポーネントを含む装置。
【請求項２】
前記１つまたは複数の制御コンポーネントが第１の制御コンポーネントと第２の制御コンポーネントとを含み、前記１つまたは複数の携帯電話に関連付けられた前記１つまたは複数のフリーダイヤル番号に対して前記１つまたは複数の通信装置の前記１人または複数のユーザがかけた前記１つまたは複数のフリーダイヤル通話が、１つの携帯電話に関連付けられた１つのフリーダイヤル番号に対して１つの通信装置のユーザがかけた１つのフリーダイヤル通話を含み、
前記１つの通信装置が電話装置を含み、
前記第１の制御コンポーネントが移動交換局または公衆交換電話網の通話状態制御機能を含み、
前記移動交換局または前記公衆交換電話網の前記通話状態制御機能が、前記１つのフリーダイヤル番号を、データベース・コンポーネントに格納されている１つまたは複数の電話番号と比較し、
前記１つのフリーダイヤル番号が前記データベースにある前記１つまたは複数の電話番号のうちの１つまたは複数と一致した場合には、前記移動交換局または前記公衆交換電話網の前記通話状態制御機能が前記１つのフリーダイヤル通話を第２の制御コンポーネントに渡すことにより、前記１つまたは複数の携帯電話に関連付けられていない、１つまたは複数の他のフリーダイヤル通話の１つまたは複数の他のフリーダイヤル番号を１つまたは複数の標準電話番号に変換するサービス制御点コンポーネントをバイパスする、請求項１に記載の装置。
【請求項３】
前記１つまたは複数の制御コンポーネントが第１の制御コンポーネントと第２の制御コンポーネントとを含み、前記１つまたは複数の携帯電話に関連付けられた前記１つまたは複数のフリーダイヤル番号に対して前記１つまたは複数の通信装置の前記１人または複数のユーザがかけた前記１つまたは複数のフリーダイヤル通話が、１つの携帯電話に関連付けられた１つのフリーダイヤル番号に対して１つの通信装置のユーザがかけた１つのフリーダイヤル通話を含み、
前記１つの携帯電話が第１の携帯電話を含み、前記１つの通信装置が第２の携帯電話を含み、
前記第１の制御コンポーネントが移動交換局または公衆陸上移動網の通話状態制御機能を含み、
前記移動交換局または前記公衆陸上移動網の前記通話状態制御機能が、前記１つのフリーダイヤル番号を、データベース・コンポーネントに格納されている１つまたは複数の電話番号と比較し、
前記１つのフリーダイヤル番号が前記データベースにある前記１つまたは複数の電話番号のうちの１つまたは複数と一致した場合には、前記移動交換局または前記公衆陸上移動網の前記通話状態制御機能が前記１つのフリーダイヤル通話を前記第２の制御コンポーネントに渡して、前記１つまたは複数の携帯電話に関連付けられていない、１つまたは複数の他のフリーダイヤル通話の１つまたは複数の他のフリーダイヤル番号を１つまたは複数の標準電話番号に変換するサービス制御点コンポーネントをバイパスする、請求項１に記載の装置。
【請求項４】
前記１つまたは複数の制御コンポーネントが第１の制御コンポーネントと第２の制御コンポーネントとを含み、前記１つまたは複数の携帯電話に関連付けられた前記１つまたは複数のフリーダイヤル番号に対して前記１つまたは複数の通信装置の前記１人または複数のユーザがかけた前記１つまたは複数のフリーダイヤル通話が、１つの携帯電話に関連付けられた１つのフリーダイヤル番号に対して１つの通信装置のユーザがかけた１つのフリーダイヤル通話を含み、
前記１つの通信装置の前記ユーザがかけた前記１つのフリーダイヤル通話を前記第１の制御コンポーネントが前記第２の制御コンポーネントに渡し、
前記第２の制御コンポーネントが、前記１つの携帯電話の位置の割り出しを行うために、前記１つのフリーダイヤル番号に関連付けられたエントリをホーム・ロケーション・レジスタ・コンポーネントで検索し、
前記第２の制御コンポーネントが、前記位置において、前記１つのフリーダイヤル番号に関連付けられた前記１つの携帯電話に前記１つのフリーダイヤル通話を接続する、請求項１に記載の装置。
【請求項５】
前記１つまたは複数の制御コンポーネントが第１の制御コンポーネントと第２の制御コンポーネントとを含み、前記１つまたは複数の携帯電話に関連付けられた前記１つまたは複数のフリーダイヤル番号に対して前記１つまたは複数の通信装置の前記１人または複数のユーザがかけた前記１つまたは複数のフリーダイヤル通話が、１つの携帯電話に関連付けられた１つのフリーダイヤル番号に対して１つの通信装置のユーザがかけた１つのフリーダイヤル通話を含み、
前記１つの通信装置の前記ユーザがかけた前記１つのフリーダイヤル通話を前記第１の制御コンポーネントが前記第２の制御コンポーネントに渡し、
前記１つの携帯電話が前記１つのフリーダイヤル番号と１つの標準電話番号に関連付けられ、
前記第２の制御コンポーネントが前記１つのフリーダイヤル番号を用いて、前記１つの携帯電話に関連付けられた前記１つの標準電話番号の割り出しを行い、前記第２の制御コンポーネントが前記１つの標準電話番号を用いて、前記１つの携帯電話の位置の割り出しを行い、
前記第２の制御コンポーネントが、前記１つの携帯電話の前記位置の前記割り出しを行うために、前記１つの標準電話番号に関連付けられたエントリをホーム・ロケーション・レジスタ・コンポーネントで検索し、
前記第２の制御コンポーネントが、前記位置において、前記１つのフリーダイヤル番号に関連付けられた前記１つの携帯電話に前記１つのフリーダイヤル通話を接続し、
前記第２の制御コンポーネントが前記１つのフリーダイヤル通話の課金記録を、前記１つの標準電話番号に関連付けられた１つまたは複数の課金記録に追加し、
前記第２の制御コンポーネントが、前記１つの携帯電話の所有者につき、前記１つのフリーダイヤル通話の前記課金記録と、前記１つの標準電話番号に関連付けられた前記１つまたは複数の課金記録とを統合する、請求項１に記載の装置。
【請求項６】
前記１つまたは複数の携帯電話に関連付けられた前記１つまたは複数のフリーダイヤル番号に対して前記１つまたは複数の通信装置の前記１人または複数のユーザがかけた前記１つまたは複数のフリーダイヤル通話が、１つの携帯電話に関連付けられた１つのフリーダイヤル番号に対して１つの通信装置のユーザがかけた１つのフリーダイヤル通話を含み、前記１つの携帯電話が前記１つのフリーダイヤル番号と１つの標準電話番号に関連付けられ、
前記１つの通信装置の前記ユーザが前記１つのフリーダイヤル番号に対してかけた前記１つのフリーダイヤル通話のインジケータを前記制御コンポーネントが前記１つの携帯電話に送り、
前記１つの携帯電話のユーザが前記インジケータを用いて前記１つのフリーダイヤル通話を標準電話通話と区別する、請求項１に記載の装置。
【請求項７】
前記１つまたは複数の制御コンポーネントが前記１つまたは複数のフリーダイヤル通話の課金情報を集計し、前記１つまたは複数の携帯電話の１人または複数の所有者が前記課金情報に基づく１つまたは複数の請求書に対して支払いの責任があり、
前記１つまたは複数の通信装置の前記１人または複数のユーザが前記１つまたは複数の請求書に対しては支払い責任を負わない、請求項１に記載の装置。
【請求項８】
１つまたは複数のフリーダイヤル番号に対する１つまたは複数の通信装置からの１つまたは複数のフリーダイヤル通話において、１つまたは複数のサービス制御点コンポーネントをバイパスする工程、
前記１つまたは複数のフリーダイヤル通話を、前記１つまたは複数のフリーダイヤル番号に関連付けられた１つまたは複数の携帯電話に接続する工程を含む方法。
【請求項９】
前記１つまたは複数のフリーダイヤル番号に対する前記１つまたは複数の通信装置からの前記１つまたは複数のフリーダイヤル通話が、１つのフリーダイヤル番号に対する１つの通信装置からの１つのフリーダイヤル通話を含み、前記１つまたは複数の携帯電話が１つの携帯電話を含み、前記１つまたは複数のサービス制御点コンポーネントが１つのサービス制御点コンポーネントを含み、前記１つの携帯電話が前記１つのフリーダイヤル番号と１つの標準電話番号のうちの１つまたは複数に関連付けられ、前記１つのフリーダイヤル番号に対する前記１つの通信装置からの前記１つのフリーダイヤル通話において前記１つのサービス制御点をバイパスする工程が、
前記１つのフリーダイヤル番号への前記１つのフリーダイヤル通話を前記１つの通信装置から受け取る工程と、
前記１つのフリーダイヤル番号を、データベース・コンポーネントに格納されている１つまたは複数の電話番号のうちの電話番号と照合する工程と、
前記１つのフリーダイヤル番号を用いて、前記１つの携帯電話に関連付けられた前記１つの標準電話番号の割り出しを行う工程と、
前記１つの標準電話番号または前記１つのフリーダイヤル番号を用いてホーム・ロケーション・レジスタ・コンポーネントで検索を行って、前記１つの携帯電話の位置の割り出しを行う工程と、
前記位置において前記１つのフリーダイヤル通話を前記１つの携帯電話に接続する工程と、
前記１つのフリーダイヤル番号に関連付けられた前記１つのフリーダイヤル通話の課金記録を集計する工程と、
前記１つのフリーダイヤル通話の前記課金記録を、前記１つの標準電話番号に関連付けられた１つまたは複数の標準電話通話の１つまたは複数の課金記録と統合する工程とを含む請求項８に記載の方法。
【請求項１０】
前記１つまたは複数のフリーダイヤル番号に関連付けられた前記１つまたは複数の携帯電話が、１つのフリーダイヤル番号に関連付けられた１つの携帯電話を含み、前記１つまたは複数の通信装置からの前記１つまたは複数のフリーダイヤル通話が、１つの通信装置からの１つのフリーダイヤル通話を含み、前記１つのフリーダイヤル番号に関連付けられた前記１つの携帯電話に前記１つのフリーダイヤル通話を接続する工程が、
前記１つの通信装置と前記１つの携帯電話とを前記１つのフリーダイヤル通話で接続する工程と、
前記１つの通信装置の所有者に対して前記１つのフリーダイヤル通話の課金を行わないようにする工程と、
前記１つの携帯電話の所有者に対して前記１つのフリーダイヤル通話の課金を行う工程とを含む、請求項８に記載の方法。